【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
外部装置から送信されるデータを保存する第１記憶媒体を有する画像処理装置であって、
前記第１記憶媒体の空き容量を監視する監視手段と、
前記監視手段が新たなデータを保存できないと判断した場合に、選択したデータをリムーバブルな第２記憶媒体に記憶して、該選択したデータを識別可能な情報を前記第１記憶媒体に残し、かつ、該選択したデータを前記第１記憶媒体から削除する記憶制御手段と、
印刷対象となるデータの選択を受け付けるべく、前記識別可能な情報を含む選択画面を表示する表示制御手段と、
前記表示制御手段によって表示された選択画面を介して指示された印刷対象データを選択する選択手段と、
前記選択手段によって選択された印刷対象データが、前記記憶制御手段によって前記リムーバブルな第２記憶媒体に記憶されている場合、前記リムーバブルな第２記憶媒体の装着を報知する報知手段と、
前記報知手段によって報知された前記リムーバブルな第２記憶媒体から、前記選択手段によって選択された印刷対象データを印刷するよう制御する印刷制御手段とを有することを特徴とする画像処理装置。
【請求項２】
前記印刷制御手段は、リムーバブルな第２記憶媒体に記憶すべく選択されたデータが前記第２記憶媒体に記憶されたことを示すために、該選択されたデータを識別可能な情報を記録媒体に印刷することを特徴とする請求項１に記載の画像処理装置。
【請求項３】
前記報知手段によって報知され、前記印刷制御手段によって前記識別可能な情報が印刷された記録媒体が貼付されたリムーバブルな第２記憶媒体から、前記選択手段によって選択された印刷対象データを読み出す読出手段を更に有することを特徴とする請求項２に記載の画像処理装置。
【請求項４】
前記記憶制御手段は、前記第２記憶媒体へ記憶すべく選択されたデータをリムーバブルな該第２記憶媒体に記憶したことを示す情報と前記データを識別可能な情報とを、前記第１記憶媒体の記憶データと共に記憶させ、
前記報知手段は、前記リムーバブルな第２記憶媒体に記憶したことを示す情報から前記選択手段によって選択されたデータが前記第２記憶媒体に記憶されていると判断し、前記選択手段によって選択されたデータを識別可能な情報と共にリムーバブルな第２記憶媒体の装着を報知することを特徴とする請求項３に記載の画像処理装置。
【請求項５】
前記データを識別可能な情報は、少なくとも前記リムーバブルな第２記憶媒体へ記憶すべく選択されたデータ名と、前記リムーバブルな第２記憶媒体に記憶した日時と、第２記憶媒体を特定する情報とを含むことを特徴とする請求項２乃至４のいずれか１項に記載の画像処理装置。
【請求項６】
前記記憶制御手段は、予め決められたデータ選択条件に従って前記リムーバブルな第２記憶媒体に記憶すべきデータを選択し、
前記データ選択条件は、前記第１記憶媒体に記憶された保存データの中から一番古い日時に保存されたデータ、前記保存データの中から一番容量の大きいデータ、前記保存データのうち保存指示したユーザ毎に一番古い日時に保存されたデータ、前記保存データのうち保存指示したユーザ毎に一番容量の大きいデータ、の条件のいずれか１つであることを特徴とする請求項１乃至５のいずれか１項に記載の画像処理装置。
【請求項７】
前記記憶制御手段は、更に、前記リムーバブルな第２記憶媒体に記憶すべく選択されたデータを処理するために必要な機能に関する情報を前記リムーバブルな第２記憶媒体に記憶し、
前記印刷制御手段は、更に、前記選択されたデータを処理可能な機能に関する情報を前記記録媒体に印刷することを特徴とする請求項２に記載の画像処理装置。
【請求項８】
前記機能に関する情報は、装置のオプション情報、機種、固有ＩＤの少なくともいずれかを含むことを特徴とする請求項７に記載の画像処理装置。
【請求項９】
リムーバブルな第２記憶媒体から読み込まれた該選択されたデータを処理するために必要な機能に関する情報と、当該画像処理装置が有するデータを処理可能な機能に関する情報とを比較して、当該画像処理装置が有する機能により前記選択されたデータを処理可能であるか否かを判断する判断手段を更に有することを特徴とする請求項７に記載の画像処理装置。
【請求項１０】
選択されたデータと該選択されたデータを処理するために必要な機能に関する情報とを記憶するリムーバブルな第２記憶媒体から読込んだ前記機能に関する情報と、画像処理装置が有するデータを処理可能な機能に関する情報とを比較して、当該画像処理装置が有する機能により前記選択されたデータを処理可能であるか否かを判断する判断手段と、
前記判断手段が、当該画像処理装置が有する機能により前記選択されたデータを処理可能であると判断した場合に、前記リムーバブルな第２記憶媒体から読み出した該選択されたデータを処理する処理手段とを有することを特徴とする画像処理装置。
【請求項１１】
前記判断手段が、当該画像処理装置が有する機能により前記選択されたデータを処理可能であると判断した場合、前記リムーバブルな第２記憶媒体から該選択されたデータを読み出す読出手段を更に有し、
前記読出手段は、
前記リムーバブルな第２記憶媒体から読み出した前記機能に関する情報から、前記選択されたデータが他の情報処理装置により前記リムーバブルな第２記憶媒体に記憶されたか否かを判定する手段と、
前記選択されたデータが他の情報処理装置により前記リムーバブルな第２記憶媒体に記憶されていると判定した場合に、ユーザに前記リムーバブルな第２記憶媒体から該選択されたデータを読み出して処理するか否かを問い合わせる手段と、
ユーザの許可入力に応答して、前記リムーバブルな第２記憶媒体から該選択されたデータを読み出す手段とを含むことを特徴とする請求項９又は１０に記載の画像処理装置。
【請求項１２】
前記第１記憶媒体はプリント機能を有する画像処理装置のプリントデータ保存用の記憶媒体であり、
前記第２記憶媒体はプリント機能を有する画像処理装置が有する外部リムーバブル媒体制御部に着脱可能なリムーバブルな記憶媒体であることを特徴とする請求項１乃至１１のいずれか１項に記載の画像処理装置。
【請求項１３】
外部装置から送信されるデータを保存する第１記憶媒体を有する画像処理装置であって、
ユーザの指示に応じてリムーバブルな第２記憶媒体へ格納すべきデータを指示入力する指示入力手段と、
前記指示入力手段によって指示されたデータを識別可能な情報を前記第１記憶媒体に残し、かつ、該指示されたデータを前記第１記憶媒体から削除する記憶制御手段と、
印刷対象となるデータの選択を受け付けるべく、前記識別可能な情報を含む選択画面を表示する表示制御手段と、
前記表示制御手段によって表示された選択画面を介して指示された印刷対象データを選択する選択手段と、
前記選択手段によって選択された印刷対象データが、前記記憶制御手段によって前記リムーバブルな第２記憶媒体に記憶されている場合、前記リムーバブルな第２記憶媒体の装着を報知する報知手段と、
前記報知手段によって報知された前記リムーバブルな第２記憶媒体から、前記選択手段によって選択された印刷対象データを印刷するよう制御する印刷制御手段とを有することを特徴とする画像処理装置。
【請求項１４】
外部装置から送信されるデータを保存する第１記憶媒体を有する画像処理装置の画像処理方法であって、
前記第１記憶媒体の空き容量を監視する監視工程と、
前記監視工程で新たなデータを保存できないと判断した場合に、選択したデータをリムーバブルな第２記憶媒体に記憶して、該選択したデータを識別可能な情報を前記第１記憶媒体に残し、かつ、該選択したデータを前記第１記憶媒体から削除する記憶制御工程と、
印刷対象となるデータの選択を受け付けるべく、前記識別可能な情報を含む選択画面を表示する表示制御工程と、
前記表示制御工程で表示された選択画面を介して指示された印刷対象データを選択する選択工程と、
前記選択工程で選択された印刷対象データが、前記記憶制御工程で前記リムーバブルな第２記憶媒体に記憶されている場合、前記リムーバブルな第２記憶媒体の装着を報知する報知工程と、
前記報知工程で報知された前記リムーバブルな第２記憶媒体から、前記選択工程で選択された印刷対象データを印刷するよう制御する印刷制御工程とを有することを特徴とする画像処理方法。
【請求項１５】
選択されたデータと該選択されたデータを処理するために必要な機能に関する情報とを記憶するリムーバブルな第２記憶媒体から読込んだ前記機能に関する情報と、画像処理装置が有するデータを処理可能な機能に関する情報とを比較して、当該画像処理装置が有する機能により前記選択されたデータを処理可能であるか否かを判断する判断工程と、
前記判断工程で、当該画像処理装置が有する機能により前記選択されたデータを処理可能であると判断した場合に、前記リムーバブルな第２記憶媒体から読み出した該選択されたデータを処理する処理工程とを有することを特徴とする画像処理方法。
【請求項１６】
外部装置から送信されるデータを保存する第１記憶媒体を有する画像処理装置の画像処理方法であって、
ユーザの指示に応じてリムーバブルな第２記憶媒体へ格納すべきデータを指示入力する指示入力工程と、
前記指示入力工程で指示されたデータを識別可能な情報を前記第１記憶媒体に残し、かつ、該指示されたデータを前記第１記憶媒体から削除する記憶制御工程と、
印刷対象となるデータの選択を受け付けるべく、前記識別可能な情報を含む選択画面を表示する表示制御工程と、
前記表示制御工程で表示された選択画面を介して指示された印刷対象データを選択する選択工程と、
前記選択工程で選択された印刷対象データが、前記記憶制御工程で前記リムーバブルな第２記憶媒体に記憶されている場合、前記リムーバブルな第２記憶媒体の装着を報知する報知工程と、
前記報知工程で報知された前記リムーバブルな第２記憶媒体から、前記選択手段によって選択された印刷対象データを印刷するよう制御する印刷制御工程とを有することを特徴とする画像処理方法。
【請求項１７】
請求項１４乃至１６のいずれか１項に記載の画像処理方法の工程をコンピュータに実行させるためのコンピュータプログラム。
【手続補正２】
【補正対象書類名】明細書
【補正対象項目名】００１１
【補正方法】変更
【補正の内容】
【００１１】
前述した課題を解決するために、本発明の画像処理装置は、外部装置から送信されるデータを保存する第１記憶媒体を有する画像処理装置であって、前記第１記憶媒体の空き容量を監視する監視手段と、前記監視手段が新たなデータを保存できないと判断した場合に、選択したデータをリムーバブルな第２記憶媒体に記憶して、該選択したデータを識別可能な情報を前記第１記憶媒体に残し、かつ、該選択したデータを前記第１記憶媒体から削除する記憶制御手段と、印刷対象となるデータの選択を受け付けるべく、前記識別可能な情報を含む選択画面を表示する表示制御手段と、前記表示制御手段によって表示された選択画面を介して指示された印刷対象データを選択する選択手段と、前記選択手段によって選択された印刷対象データが、前記記憶制御手段によって前記リムーバブルな第２記憶媒体に記憶されている場合、前記リムーバブルな第２記憶媒体の装着を報知する報知手段と、前記報知手段によって報知された前記リムーバブルな第２記憶媒体から、前記選択手段によって選択された印刷対象データを印刷するよう制御する印刷制御手段とを有することを特徴とする。
【手続補正３】
【補正対象書類名】明細書
【補正対象項目名】００１４
【補正方法】変更
【補正の内容】
【００１４】
また、本発明の画像処理方法は、外部装置から送信されるデータを保存する第１記憶媒体を有する画像処理装置の画像処理方法であって、前記第１記憶媒体の空き容量を監視する監視工程と、前記監視工程で新たなデータを保存できないと判断した場合に、選択したデータをリムーバブルな第２記憶媒体に記憶して、該選択したデータを識別可能な情報を前記第１記憶媒体に残し、かつ、該選択したデータを前記第１記憶媒体から削除する記憶制御工程と、印刷対象となるデータの選択を受け付けるべく、前記識別可能な情報を含む選択画面を表示する表示制御工程と、前記表示制御工程で表示された選択画面を介して指示された印刷対象データを選択する選択工程と、前記選択工程で選択された印刷対象データが、前記記憶制御工程で前記リムーバブルな第２記憶媒体に記憶されている場合、前記リムーバブルな第２記憶媒体の装着を報知する報知工程と、前記報知工程で報知された前記リムーバブルな第２記憶媒体から、前記選択工程で選択された印刷対象データを印刷するよう制御する印刷制御工程とを有することを特徴とする。